(57)【要約】      （修正有）【課題】利便性が高いスポーツ用具の保管システム及びスポーツ用具の保管方法を提供すること。【解決手段】スポーツ用具の保管システムは、保管センタ２に保管されたスポーツ用具１１を配送先５に配送することを指示する配送指示情報と、前記スポーツ用具にメンテナンスをすることを指示するメンテナンス指示情報とをユーザ端末１０から受信する通信部と、前記スポーツ用具が前記配送先に配達されたことを示す配送結果情報を生成する配送結果情報生成部と、前記メンテナンスが終了したことを示すメンテナンス結果情報を生成するメンテナンス結果情報生成部とを具備している。ここで、前記通信部は、前記配送結果情報と、前記メンテナンス結果情報とを前記ユーザ端末に対して送信する。【選択図】図１
2007261765.tif 000002
【特許請求の範囲】
【請求項１】
保管センタに保管されたスポーツ用具を配送先に配送することを指示する配送指示情報と、前記スポーツ用具にメンテナンスをすることを指示するメンテナンス指示情報とをユーザ端末から受信する通信部と、
前記スポーツ用具が前記配送先に配達されたことを示す配送結果情報を生成する配送結果情報生成部と、
前記メンテナンスが終了したことを示すメンテナンス結果情報を生成するメンテナンス結果情報生成部と
を具備し、
前記通信部は、前記配送結果情報と、前記メンテナンス結果情報とを前記ユーザ端末に対して送信する
スポーツ用具の保管システム。
【請求項２】
前記スポーツ用具を示す用具ＩＤと前記スポーツ用具のメーカ名及び型式とを関連付けている用具情報テーブルと、前記メーカ名及び型式と所定の商品に関する情報としての推奨商品情報とを関連付けている用具別推奨商品情報テーブルとを格納した記憶部と、
販売促進情報生成部と
を具備し、
前記メンテナンス指示情報は、前記用具ＩＤを含み、
前記通信部は、前記スポーツ用具としての第１スポーツ用具に前記メンテナンスとしての第１メンテナンスをすることを指示し、前記第１スポーツ用具を示す前記用具ＩＤとしての第１用具ＩＤを含む前記メンテナンス指示情報としての第１メンテナンス指示情報を受信し、
前記記憶部は、前記用具情報テーブルを参照して前記第１用具ＩＤに関連付けられた前記メーカ名及び型式としての第１メーカ名及び型式を検出し、前記用具別推奨商品情報テーブルを参照して前記第１メーカ名及び型式に関連付けられた前記推奨商品情報としての第１推奨商品情報を検出し、
前記販売促進情報生成部は、前記第１推奨商品情報を含む第１販売促進情報を生成し、
前記通信部は、前記第１販売促進情報を前記ユーザ端末に対して送信する
請求項１のスポーツ用具の保管システム。
【請求項３】
前記記憶部は、メンテナンス情報テーブルを格納し、前記メンテナンス指示情報をメンテナンス情報として前記メンテナンス情報テーブルに追加して記憶し、
前記通信部は、前記第１用具ＩＤを含む前記メンテナンス情報の数が所定の第１基準値を超える場合に前記第１販売促進情報を前記ユーザ端末に対して送信する
請求項２のスポーツ用具の保管システム。
【請求項４】
前記メンテナンス指示情報は、前記メンテナンスの内容を示す内容情報を含み、
前記第１メンテナンス指示情報は、前記第１メンテナンスの内容を示す前記内容情報としての第１内容情報を含み、
前記通信部は、前記第１用具ＩＤ及び前記第１内容情報を含む前記メンテナンス情報の数が所定の第２基準値を超える場合に前記第１販売促進情報を前記ユーザ端末に対して送信する
請求項３のスポーツ用具の保管システム。
【請求項５】
前記スポーツ用具を示す用具ＩＤと前記スポーツ用具を使用するスポーツの競技種別とを関連付けている用具情報テーブルと、前記競技種別と所定の商品に関する情報としての推奨商品情報とを関連付けている競技別推奨商品情報テーブルとを格納した記憶部と、
販売促進情報生成部と
を具備し、
前記配送指示情報は、前記用具ＩＤを含み、
前記通信部は、前記スポーツ用具としての第１スポーツ用具を前記配送先としての第１配送先に配送することを指示し、前記第１スポーツ用具を示す前記用具ＩＤとしての第１用具ＩＤを含む前記配送指示情報としての第１配送指示情報を受信し、
前記記憶部は、前記用具情報テーブルを参照して前記第１用具ＩＤと関連付けられた前記競技種別としての第１競技種別を検出し、前記競技別推奨商品テーブルを参照して前記第１競技種別と関連付けられた前記推奨商品情報としての第１推奨商品情報を検出し、
前記販売促進情報生成部は、前記第１推奨商品情報を含む第１販売促進情報を生成し、
前記通信部は、前記第１販売促進情報を前記ユーザ端末に対して送信する
請求項１のスポーツ用具の保管システム。
【請求項６】
前記商品を仮想店舗において販売するための商品販売情報を生成する商品販売情報生成部を具備し、
前記通信部は、前記商品販売情報を前記ユーザ端末に対して送信する
請求項２乃至５のいずれか１項に記載のスポーツ用具の保管システム。
【請求項７】
前記配送先と、前記配送先、前記配送先の周辺、又は両者に関する情報としての配送先周辺地域情報とを関連付けている配送先周辺情報テーブルを格納した記憶部と、
周辺地域情報生成部と
を具備し、
前記通信部は、前記スポーツ用具としての第１スポーツ用具を前記配送先としての第１配送先に配送することを指示する前記配送指示情報としての第１配送指示情報を受信し、
前記記憶部は、前記配送先周辺情報テーブルを参照して前記第１配送先に関連付けられた前記配送先周辺地域情報としての第１配送先周辺地域情報を検出し、
前記周辺地域情報生成部は、前記第１配送先周辺地域情報を含む第１周辺地域情報を生成し、
前記通信部は、前記第１周辺地域情報を前記ユーザ端末に対して送信する
請求項１のスポーツ用具の保管システム。
【請求項８】
前記配送先周辺情報テーブルは、前記配送先周辺地域情報と送信期間とを関連付けており、
前記配送指示情報は、前記スポーツ用具を前記配送先に配達する配達日を指定した指定配達日を含み、
前記第１配送指示情報は、前記第１スポーツ用具を前記第１配送先に配達する配達日を指定した前記指定配達日としての第１指定配達日を含み、
前記記憶部は、前記配送先周辺情報テーブルを参照し、前記第１配送先と、前記第１指定配達日を含んでいる前記送信期間に関連付けられた前記配送先周辺地域情報のみを前記第１配送先周辺地域情報として検出する
請求項７のスポーツ用具の保管システム。
【請求項９】
前記配送指示情報に基づいて前記スポーツ用具を前記配送先に配送するための配送伝票を作成する配送伝票作成部と、
前記スポーツ用具が前記配送先に配達されたことを検出する配達検出部と、
前記スポーツ用具に前記メンテナンスをすることの指示を出力するメンテナンス指示出力部と、
前記メンテナンスが終了したことを検出するメンテナンス終了検出部と
を具備する
請求項１乃至８のいずれか１項に記載のスポーツ用具の保管システム。
【請求項１０】
保管センタに保管されたスポーツ用具を配送先に配送することを指示する配送指示情報を通信部がユーザ端末から受信するステップと、
配送結果情報生成部が、前記スポーツ用具が前記配送先に配達されたことを示す配送結果情報を生成するステップと、
前記通信部が前記配送結果情報を前記ユーザ端末に対して送信するステップと、
前記スポーツ用具にメンテナンスをすることを指示するメンテナンス指示情報を前記通信部が前記ユーザ端末から受信するメンテナンス指示情報受信ステップと、
メンテナンス結果情報生成部が、前記メンテナンスが終了したことを示すメンテナンス結果情報を生成するステップと、
前記通信部が前記メンテナンス結果情報を前記ユーザ端末に対して送信するステップと
を具備する
スポーツ用具の保管方法。
【請求項１１】
前記メンテナンス指示情報は、前記スポーツ用具を示す用具ＩＤを含み、
前記スポーツ用具としての第１スポーツ用具に前記メンテナンスとしての第１メンテナンスをすることを指示し、前記第１スポーツ用具を示す前記用具ＩＤとしての第１用具ＩＤを含む前記メンテナンス指示情報としての第１メンテナンス指示情報を前記通信部が前記ユーザ端末から受信するステップと、
前記用具ＩＤと前記スポーツ用具のメーカ名及び型式とを関連付けた用具情報テーブルを参照し、前記第１用具ＩＤに関連付けられた前記メーカ名及び型式としての第１メーカ名及び型式を検出するステップと、
前記メーカ名及び型式と所定の商品に関する情報としての推奨商品情報とを関連付けた用具別推奨商品情報テーブルを参照し、前記第１メーカ名及び型式に対応付けられた前記推奨商品情報としての第１推奨商品情報を検出するステップと、
前記第１推奨商品情報を含む第１販売促進情報を販売促進情報生成部が生成するステップと、
前記通信部が前記第１販売促進情報を前記ユーザ端末に対して送信する販売促進情報送信ステップと
を具備する
請求項１０のスポーツ用具の保管方法。
【請求項１２】
メンテナンス情報テーブルを格納した記憶部が、前記メンテナンス指示情報をメンテナンス情報として前記メンテナンス情報テーブルに追加して記憶するステップを具備し、
前記販売促進情報送信ステップにおいては、前記通信部は、前記第１用具ＩＤを含む前記メンテナンス情報の数が所定の第１基準値を超える場合に前記第１販売促進情報を前記ユーザ端末に対して送信する
請求項１１のスポーツ用具の保管方法。
【請求項１３】
前記メンテナンス指示情報は、前記メンテナンスの内容を示す内容情報を含み、
前記第１メンテナンス指示情報は、前記第１メンテナンスの内容を示す前記内容情報としての第１内容情報を含み、
前記販売促進情報送信ステップにおいては、前記通信部は、前記第１用具ＩＤ及び前記第１内容情報を含む前記メンテナンス情報の数が所定の第２基準値を超える場合に前記第１販売促進情報を前記ユーザ端末に対して送信する
請求項１２のスポーツ用具の保管方法。
【請求項１４】
前記配送指示情報は、前記スポーツ用具を示す用具ＩＤを含み、
前記スポーツ用具としての第１スポーツ用具を前記配送先としての第１配送先に配送することを指示し、前記第１スポーツ用具を示す前記用具ＩＤとしての第１用具ＩＤを含む前記配送指示情報としての第１配送指示情報を前記通信部が前記ユーザ端末から受信するステップと、
前記用具ＩＤと前記スポーツ用具を使用するスポーツの競技種別とを関連付けた用具情報テーブルを参照し、前記第１用具ＩＤに関連付けられた前記競技種別としての第１競技種別を検出するステップと、
前記競技種別と所定の商品に関する情報としての推奨商品情報とを関連付けた競技別推奨商品情報テーブルを参照し、前記第１競技種別に関連付けられた前記推奨商品情報としての第１推奨商品情報を検出するステップと、
前記第１推奨商品情報を含む第１販売促進情報を販売促進情報生成部が生成するステップと、
前記通信部が前記第１販売促進情報を前記ユーザ端末に対して送信する販売促進情報送信ステップと
を具備する
請求項１０のスポーツ用具の保管方法。
【請求項１５】
商品販売情報生成部が、前記商品を仮想店舗において販売するための商品販売情報を生成するステップと、
前記通信部が、前記商品販売情報を前記ユーザ端末に対して送信するステップと
を具備する
請求項１１乃至１４のいずれか１項に記載のスポーツ用具の保管方法。
【請求項１６】
前記スポーツ用具としての第１スポーツ用具を前記配送先としての第１配送先に配送することを指示する前記配送指示情報としての第１配送指示情報を前記通信部が受信するステップと、
前記配送先と、前記配送先、前記配送先の周辺、又は両者に関する情報としての配送先周辺地域情報とを関連付けた配送先周辺情報テーブルを参照し、前記第１配送先に関連付けられた前記配送先周辺地域情報としての第１配送先周辺地域情報を検出する配送先周辺地域情報検出ステップと、
前記第１配送先周辺地域情報を含む第１周辺地域情報を周辺地域情報生成部が生成するステップと、
前記通信部が、前記第１周辺地域情報を前記ユーザ端末に対して送信するステップと
を具備する
請求項１０のスポーツ用具の保管方法。
【請求項１７】
前記配送先周辺情報テーブルは、前記配送先周辺地域情報と送信期間とを関連付けており、
前記配送指示情報は、前記スポーツ用具を前記配送先に配達する配達日を指定した指定配達日を含み、
前記第１配送指示情報は、前記第１スポーツ用具を前記第１配送先に配達する配達日を指定した前記指定配達日としての第１指定配達日を含み、
前記配送先周辺地域情報検出ステップにおいては、前記記憶部は、前記配送先周辺情報テーブルを参照し、前記第１配送先と、前記第１指定配達日を含んでいる前記送信期間に関連付けられた前記配送先周辺地域情報のみを前記第１配送先周辺地域情報として検出する
請求項１６のスポーツ用具の保管方法。
【発明の詳細な説明】
【技術分野】
【０００１】
本発明は、顧客のスポーツ用具を保管するシステムに関する。
【背景技術】
【０００２】
スキーやスノーボード、ゴルフ、マリンスポーツのような大型の用具を使用するスポーツでは、用具の搬送、用具の保管、用具のメンテナンスが大変である。
【０００３】
特許文献１は、ユーザが店舗で購入したスキー等の商品を保管し、この商品をユーザからの要求に基づいてスキー場等に配送する従来のシステムを開示している。
【０００４】
ここで、荷物の保管管理や物品の配送に関する従来技術としては、特許文献２に記載の荷物保管管理装置や特許文献３に記載の配送支援方法が知られている。
【０００５】
また、特許文献４に開示されているように、顧客情報を分析して顧客のニーズに対応した情報を提供することで販売促進を図る従来技術が知られている。
【特許文献１】特開２００２−１２８２４９号公報
【特許文献２】特開２００２−２１１７６０号公報
【特許文献３】特開２００２−２５５３４９号公報
【特許文献４】特開２００１−２８２８３３号公報
【発明の開示】
【発明が解決しようとする課題】
【０００６】
本発明の目的は、利便性が高いスポーツ用具の保管システム及びスポーツ用具の保管システムを提供することである。
【課題を解決するための手段】
【０００７】
以下に、（発明を実施するための最良の形態）で使用される番号を用いて、課題を解決するための手段を説明する。これらの番号は、（特許請求の範囲）の記載と（発明を実施するための最良の形態）との対応関係を明らかにするために付加されたものである。ただし、それらの番号を、（特許請求の範囲）に記載されている発明の技術的範囲の解釈に用いてはならない。
【０００８】
本発明によるスポーツ用具の保管システムは、保管センタ（２）に保管されたスポーツ用具（１１）を配送先（５）に配送することを指示する配送指示情報と、前記スポーツ用具にメンテナンスをすることを指示するメンテナンス指示情報とをユーザ端末（１０）から受信する通信部（２１、３１）と、前記スポーツ用具が前記配送先に配達されたことを示す配送結果情報を生成する配送結果情報生成部（２５）と、前記メンテナンスが終了したことを示すメンテナンス結果情報を生成するメンテナンス結果情報生成部（２９）とを具備している。ここで、前記通信部は、前記配送結果情報と、前記メンテナンス結果情報とを前記ユーザ端末に対して送信する。
【０００９】
本発明によれば、ユーザは、スポーツ用具を自宅に保管する必要がなく、スポーツ用具のメンテナンスを自身でする必要がなく、スポーツ用具をその使用場所まで自身で搬送する必要がなく、利便性が向上する。
【００１０】
本発明によるスポーツ用具の保管システムは、前記スポーツ用具を示す用具ＩＤと前記スポーツ用具のメーカ名及び型式とを関連付けている用具情報テーブル（３６２）と、前記メーカ名及び型式と所定の商品に関する情報としての推奨商品情報とを関連付けている用具別推奨商品情報テーブル（３６６）とを格納した記憶部（３６）と、販売促進情報生成部（３４）とを具備している。ここで、前記メンテナンス指示情報は、前記用具ＩＤを含んでいる。前記通信部は、前記スポーツ用具としての第１スポーツ用具に前記メンテナンスとしての第１メンテナンスをすることを指示し、前記第１スポーツ用具を示す前記用具ＩＤとしての第１用具ＩＤを含む前記メンテナンス指示情報としての第１メンテナンス指示情報を受信する。前記記憶部は、前記用具情報テーブルを参照して前記第１用具ＩＤに関連付けられた前記メーカ名及び型式としての第１メーカ名及び型式を検出し、前記用具別推奨商品情報テーブルを参照して前記第１メーカ名及び型式に関連付けられた前記推奨商品情報としての第１推奨商品情報を検出する。前記販売促進情報生成部は、前記第１推奨商品情報を含む第１販売促進情報を生成する。前記通信部は、前記第１販売促進情報を前記ユーザ端末に対して送信する。
【００１１】
したがって、スポーツ用具の痛み具合に応じた適切なタイミングで、そのスポーツ用具の種類、メーカ、価格帯に応じた商品の販売促進情報が提供される。
【００１２】
本発明によるスポーツ用具の保管システムにおいては、前記記憶部は、メンテナンス情報テーブル（３６４）を格納し、前記メンテナンス指示情報をメンテナンス情報として前記メンテナンス情報テーブルに追加して記憶し、前記通信部は、前記第１用具ＩＤを含む前記メンテナンス情報の数が所定の第１基準値を超える場合に前記第１販売促進情報を前記ユーザ端末に対して送信する。
【００１３】
したがって、より適切なタイミングで販売促進情報が提供される。
【００１４】
本発明によるスポーツ用具の保管システムにおいては、前記メンテナンス指示情報は、前記メンテナンスの内容を示す内容情報を含んでいる。前記第１メンテナンス指示情報は、前記第１メンテナンスの内容を示す前記内容情報としての第１内容情報を含んでいる。前記通信部は、前記第１用具ＩＤ及び前記第１内容情報を含む前記メンテナンス情報の数が所定の第２基準値を超える場合に前記第１販売促進情報を前記ユーザ端末に対して送信する。
【００１５】
したがって、さらに適切なタイミングで販売促進情報が提供される。
【００１６】
本発明によるスポーツ用具の保管システムは、前記スポーツ用具を示す用具ＩＤと前記スポーツ用具を使用するスポーツの競技種別とを関連付けている用具情報テーブル（３６２）と、前記競技種別と所定の商品に関する情報としての推奨商品情報とを関連付けている競技別推奨商品情報テーブル（３６７）とを格納した記憶部（３６）と、販売促進情報生成部（３４）とを具備している。ここで、前記配送指示情報は、前記用具ＩＤを含んでいる。前記通信部は、前記スポーツ用具としての第１スポーツ用具を前記配送先としての第１配送先に配送することを指示し、前記第１スポーツ用具を示す前記用具ＩＤとしての第１用具ＩＤを含む前記配送指示情報としての第１配送指示情報を受信する。前記記憶部は、前記用具情報テーブルを参照して前記第１用具ＩＤと関連付けられた前記競技種別としての第１競技種別を検出し、前記競技別推奨商品テーブルを参照して前記第１競技種別と関連付けられた前記推奨商品情報としての第１推奨商品情報を検出する。前記販売促進情報生成部は、前記第１推奨商品情報を含む第１販売促進情報を生成する。前記通信部は、前記第１販売促進情報を前記ユーザ端末に対して送信する。
【００１７】
したがって、スポーツ用具を使用するタイミングで、そのスポーツ用具を使用する競技に関係する商品の販売促進情報が提供される。
【００１８】
本発明によるスポーツ用具の保管システムは、前記商品を仮想店舗において販売するための商品販売情報を生成する商品販売情報生成部（３５）を具備している。前記通信部は、前記商品販売情報を前記ユーザ端末に対して送信する。
【００１９】
したがって、販売促進情報に係る商品を購入することが可能である。
【００２０】
本発明によるスポーツ用具の保管システムは、前記配送先と、前記配送先、前記配送先の周辺、又は両者に関する情報としての配送先周辺地域情報とを関連付けている配送先周辺情報テーブル（３６５）を格納した記憶部（３６）と、周辺地域情報生成部（３３）とを具備している。前記通信部は、前記スポーツ用具としての第１スポーツ用具を前記配送先としての第１配送先に配送することを指示する前記配送指示情報としての第１配送指示情報を受信する。前記記憶部は、前記配送先周辺情報テーブルを参照して前記第１配送先に関連付けられた前記配送先周辺地域情報としての第１配送先周辺地域情報を検出する。前記周辺地域情報生成部は、前記第１配送先周辺地域情報を含む第１周辺地域情報を生成する。前記通信部は、前記第１周辺地域情報を前記ユーザ端末に対して送信する。
【００２１】
したがって、ユーザは、これから出かける地域の情報を受け取ることができる。
【００２２】
本発明によるスポーツ用具の保管システムにおいては、前記配送先周辺情報テーブルは、前記配送先周辺地域情報と送信期間とを関連付けている。前記配送指示情報は、前記スポーツ用具を前記配送先に配達する配達日を指定した指定配達日を含んでいる。前記第１配送指示情報は、前記第１スポーツ用具を前記第１配送先に配達する配達日を指定した前記指定配達日としての第１指定配達日を含んでいる。前記記憶部は、前記配送先周辺情報テーブルを参照し、前記第１配送先と、前記第１指定配達日を含んでいる前記送信期間に関連付けられた前記配送先周辺地域情報のみを前記第１配送先周辺地域情報として検出する。
【００２３】
したがって、ユーザは、時宜に適った地域情報だけを受け取ることができる。
【００２４】
本発明によるスポーツ用具の保管システムは、前記配送指示情報に基づいて前記スポーツ用具を前記配送先に配送するための配送伝票を作成する配送伝票作成部（２３）と、前記スポーツ用具が前記配送先に配達されたことを検出する配達検出部（２４）と、前記スポーツ用具に前記メンテナンスをすることの指示を出力するメンテナンス指示出力部（２７）と、前記メンテナンスが終了したことを検出するメンテナンス終了検出部（２８）と具備する。
【００２５】
本発明によるスポーツ用具の保管方法は、保管センタ（２）に保管されたスポーツ用具（１１）を配送先（５）に配送することを指示する配送指示情報を通信部（２１、３１）がユーザ端末（１０）から受信するステップ（Ｓ２１）と、配送結果情報生成部（２５）が、前記スポーツ用具が前記配送先に配達されたことを示す配送結果情報を生成するステップ（Ｓ２８４）と、前記通信部が前記配送結果情報を前記ユーザ端末に対して送信するステップ（Ｓ２９）と、前記スポーツ用具にメンテナンスをすることを指示するメンテナンス指示情報を前記通信部が前記ユーザ端末から受信するメンテナンス指示情報受信ステップ（Ｓ３１）と、メンテナンス結果情報生成部が、前記メンテナンスが終了したことを示すメンテナンス結果情報を生成するステップ（Ｓ３２５）と、前記通信部が前記メンテナンス結果情報を前記ユーザ端末に対して送信するステップ（Ｓ３３）とを具備している。
【００２６】
本発明によるスポーツ用具の保管方法においては、前記メンテナンス指示情報は、前記スポーツ用具を示す用具ＩＤを含んでいる。本発明によるスポーツ用具の保管方法は、前記スポーツ用具としての第１スポーツ用具に前記メンテナンスとしての第１メンテナンスをすることを指示し、前記第１スポーツ用具を示す前記用具ＩＤとしての第１用具ＩＤを含む前記メンテナンス指示情報としての第１メンテナンス指示情報を前記通信部が前記ユーザ端末から受信するステップ（Ｓ３１）と、前記用具ＩＤと前記スポーツ用具のメーカ名及び型式とを関連付けた用具情報テーブル（３６２）を参照し、前記第１用具ＩＤに関連付けられた前記メーカ名及び型式としての第１メーカ名及び型式を検出するステップ（Ｓ３５）と、前記メーカ名及び型式と所定の商品に関する情報としての推奨商品情報とを関連付けた用具別推奨商品情報テーブルを参照し、前記第１メーカ名及び型式に対応付けられた前記推奨商品情報としての第１推奨商品情報を検出するステップ（Ｓ３５）と、前記第１推奨商品情報を含む第１販売促進情報を販売促進情報生成部が生成するステップ（Ｓ３５）と、前記通信部が前記第１販売促進情報を前記ユーザ端末に対して送信する販売促進情報送信ステップ（Ｓ３６）とを具備している。
【００２７】
本発明によるスポーツ用具の保管方法は、メンテナンス情報テーブル（３６４）を格納した記憶部（３６）が、前記メンテナンス指示情報をメンテナンス情報として前記メンテナンス情報テーブルに追加して記憶するステップ（Ｓ３５）を具備している。ここで、前記販売促進情報送信ステップにおいては、前記通信部は、前記第１用具ＩＤを含む前記メンテナンス情報の数が所定の第１基準値を超える場合に前記第１販売促進情報を前記ユーザ端末に対して送信する。
【００２８】
本発明によるスポーツ用具の保管方法においては、前記メンテナンス指示情報は、前記メンテナンスの内容を示す内容情報を含んでいる。さらに、前記第１メンテナンス指示情報は、前記第１メンテナンスの内容を示す前記内容情報としての第１内容情報を含んでいる。そして、前記販売促進情報送信ステップにおいては、前記通信部は、前記第１用具ＩＤ及び前記第１内容情報を含む前記メンテナンス情報の数が所定の第２基準値を超える場合に前記第１販売促進情報を前記ユーザ端末に対して送信する。
【００２９】
本発明によるスポーツ用具の保管方法においては、前記配送指示情報は、前記スポーツ用具を示す用具ＩＤを含んでいる。本発明によるスポーツ用具の保管方法は、前記スポーツ用具としての第１スポーツ用具を前記配送先としての第１配送先に配送することを指示し、前記第１スポーツ用具を示す前記用具ＩＤとしての第１用具ＩＤを含む前記配送指示情報としての第１配送指示情報を前記通信部が前記ユーザ端末から受信するステップ（Ｓ２１）と、前記用具ＩＤと前記スポーツ用具を使用するスポーツの競技種別とを関連付けた用具情報テーブル（３６２）を参照し、前記第１用具ＩＤに関連付けられた前記競技種別としての第１競技種別を検出するステップ（Ｓ２５）と、前記競技種別と所定の商品に関する情報としての推奨商品情報とを関連付けた競技別推奨商品情報テーブル（３６７）を参照し、前記第１競技種別に関連付けられた前記推奨商品情報としての第１推奨商品情報を検出するステップ（Ｓ２５）と、前記第１推奨商品情報を含む第１販売促進情報を販売促進情報生成部が生成するステップ（Ｓ２５）と、前記通信部が前記第１販売促進情報を前記ユーザ端末に対して送信する販売促進情報送信ステップ（Ｓ２７）とを具備している。
【００３０】
本発明によるスポーツ用具の保管方法は、商品販売情報生成部（３５）が、前記商品を仮想店舗において販売するための商品販売情報を生成するステップ（Ｓ４２）と、前記通信部が、前記商品販売情報を前記ユーザ端末に対して送信するステップ（Ｓ４３）とを具備している。
【００３１】
本発明によるスポーツ用具の保管方法は、前記スポーツ用具としての第１スポーツ用具を前記配送先としての第１配送先に配送することを指示する前記配送指示情報としての第１配送指示情報を前記通信部が受信するステップ（Ｓ２１）と、前記配送先と、前記配送先、前記配送先の周辺、又は両者に関する情報としての配送先周辺地域情報とを関連付けた配送先周辺情報テーブル（３６５）を参照し、前記第１配送先に関連付けられた前記配送先周辺地域情報としての第１配送先周辺地域情報を検出する配送先周辺地域情報検出ステップ（Ｓ２４）と、前記第１配送先周辺地域情報を含む第１周辺地域情報を周辺地域情報生成部が生成するステップ（Ｓ２４）と、前記通信部が、前記第１周辺地域情報を前記ユーザ端末に対して送信するステップ（Ｓ２６）とを具備している。
【００３２】
本発明によるスポーツ用具の保管方法においては、前記配送先周辺情報テーブルは、前記配送先周辺地域情報と送信期間とを関連付けている。前記配送指示情報は、前記スポーツ用具を前記配送先に配達する配達日を指定した指定配達日を含んでいる。前記第１配送指示情報は、前記第１スポーツ用具を前記第１配送先に配達する配達日を指定した前記指定配達日としての第１指定配達日を含んでいる。そして、前記配送先周辺地域情報検出ステップにおいては、前記記憶部は、前記配送先周辺情報テーブルを参照し、前記第１配送先と、前記第１指定配達日を含んでいる前記送信期間に関連付けられた前記配送先周辺地域情報のみを前記第１配送先周辺地域情報として検出する。
【発明の効果】
【００３３】
本発明によれば、利便性が高いスポーツ用具の保管システム及びスポーツ用具の保管システムが提供される。
【発明を実施するための最良の形態】
【００３４】
添付図面を参照して、本発明の実施形態に係るスポーツ用具の保管システム及びスポーツ用具の保管方法を実施するための最良の形態を以下に説明する。
【００３５】
図１は、本発明の実施形態に係るスポーツ用具の保管システム１について示している。スポーツ用具の保管システム１は、ユーザ端末１０と、保管センタ２に設置された保管センタ端末２０と、販売センタ端末３０とを備えている。ここで、ユーザ端末１０、保管センタ端末２０、及び販売センタ端末３０は、ネットワーク１００を介して接続され、データを相互に送受信することが可能である。
【００３６】
ユーザ端末１０は、パーソナルコンピュータのような情報処理装置である。ユーザ端末１０は、液晶表示装置のような図示されない表示部と、キーボード及びマウスのような図示されない入力部とを備えている。ユーザ端末１０の表示部は、保管センタ端末２０又は販売センタ端末３０から送信された情報の表示をする。ユーザ端末１０は、その入力部から入力された情報を保管センタ端末２０又は販売センタ端末３０に対して送信する。ユーザは、ユーザ端末１０を使用して保管センタ端末２０及び販売センタ端末３０にアクセスする。
【００３７】
保管センタ端末２０は、ワークステーション・サーバのような情報処理装置であり、保管センタ２に設置されている。保管センタ２は、ユーザから委託されてスポーツ用具１１を保管し、スポーツ用具１１を配送先５に配送し、スポーツ用具１１のメンテナンスを行う施設である。保管センタ端末２０は、保管、配送、及びメンテナンスに関する処理を行う。ここで、配送先５は、スポーツ用具１１を使用する施設等である。スポーツ用具１１の例としては、ゴルフのクラブ、スキー板等が挙げられる。配送先５の例としては、ゴルフ場、スキー場等が挙げられる。
【００３８】
販売センタ端末３０は、ワークステーション・サーバのような情報処理装置である。販売センタ端末３０は、インターネット上で商品を販売する仮想店舗としての機能と、保管センタ端末２０が行う保管、配送、メンテナンスに関する処理の際に取得される情報に基づいて販売促進情報及び配送先５の周辺地域情報をユーザ端末１０に送信する機能とを備えている。
【００３９】
図２は、保管センタ端末２０の機能ブロック図を示している。保管センタ端末２０は、通信部２１と、入金検出部２２と、配送伝票作成部２３と、配達検出部２４と、配送結果情報生成部２５と、記憶部２６と、メンテナンス指示出力部２７と、メンテナンス終了検出部２８と、メンテナンス結果情報生成部２９とを備えている。
【００４０】
保管センタ端末２０は、通信部２１を介して、ユーザ端末１０及び販売センタ端末３０との間で情報の送受信を行う。入金検出部２２は、ユーザからの入金を検出する。配送伝票作成部２３は、所定の用紙に配送先等の配送に関する情報を印刷して配送伝票を作成する。配達検出部２４は、配送品が配送先に配達されたことを検出する。記憶部２６は、ユーザ情報テーブル２６１と、用具情報テーブル２６２と、配送情報テーブル２６３と、メンテナンス情報テーブル２６４とを有するデータベース２６０を格納している。メンテナンス指示出力部２７は、メンテナンスの指示を表示又は印刷により出力する。メンテナンス終了検出部２８は、メンテナンスが終了したことを検出する。
【００４１】
図３は、販売センタ端末３０の機能ブロック図を示している。販売センタ端末３０は、通信部３１と、入金検出部３２と、周辺地域情報生成部３３と、販売促進情報生成部３４と、商品販売情報生成部３５と、記憶部３６と、注文結果情報生成部３７とを備えている。
【００４２】
販売センタ端末３０は、通信部３１を介して、ユーザ端末１０及び保管センタ端末２０との間で情報の送受信を行う。記憶部３６は、ユーザ情報テーブル３６１と、用具情報テーブル３６２と、配送情報テーブル３６３と、メンテナンス情報テーブル３６４と、配送先周辺情報テーブル３６５と、用具別推奨商品情報テーブル３６６と、競技別推奨商品情報テーブル３６７とを有するデータベース３６０を格納している。
【００４３】
図４は、ユーザ情報テーブル２６１及びユーザ情報テーブル３６１のデータ構成を示している。ユーザ情報テーブル２６１及びユーザ情報テーブル３６１のロウ（行）に示されている各々のユーザ情報は、ユーザＩＤと、氏名と、住所と、電話番号と、電子メールアドレスとを有している。例えば、ユーザＩＤがＡ０００１であるユーザ情報には、氏名が坂東太郎であることと、住所が東京都であることと、電話番号が０３−×××−××××であることと、電子メールアドレスがｔａｒｏｕ＠・・・であることとが登録されている。
【００４４】
図５は、用具情報テーブル２６２及び用具情報テーブル３６２のデータ構成を示している。用具情報テーブル２６２及び用具情報テーブル３６２のロウ（行）に示されている各々の用具情報は、スポーツ用具１１を示す用具ＩＤと、スポーツ用具１１の所有者と、スポーツ用具１１を使用するスポーツの競技種別と、スポーツ用具１１の種類を示す用具種別と、登録日と、スポーツ用具１１のメーカ名及び型式とを有している。例えば、用具ＩＤがＢ０００１である用具情報には、所有者のユーザＩＤがＡ０００１であることと、競技種別がゴルフであることと、用具種別がクラブであることと、登録日が２００２年１月１日であることと、メーカ名及び型式がＧ社及びＧ００１であることとが登録されている。
【００４５】
図６は、配送情報テーブル２６３及び配送情報テーブル３６３のデータ構成を示している。配送情報テーブル２６３及び配送情報テーブル３６３のロウ（行）に示されている各々の配送情報は、配送ＩＤと、配送の依頼者と、配送品と、配送を受け付けた受付日時と、配送元と、配送先５と、配送の依頼者が指定した配達日としての指定配達日とを有している。例えば、配送ＩＤがＣ０１０１である配送情報には、依頼者のユーザＩＤがＡ０００１であることと、配送品の用具ＩＤがＢ０００１であることと、受付日時が２００５年２月１日１０：００であることと、配送元が保管センタ２であることと、配送先５がゴルフ場であることと、指定配達日が２００５年２月５日であることとが登録されている。
【００４６】
図７は、メンテナンス情報テーブル２６４及びメンテナンス情報テーブル３６４のデータ構成を示している。メンテナンス情報テーブル２６４及びメンテナンス情報テーブル３６４のロウ（行）に示されている各々のメンテナンス情報は、メンテナンスＩＤと、メンテナンスの依頼者と、メンテナンスの対象となるスポーツ用具１１を示す対象用具と、メンテナンスの受付日時と、メンテナンスの内容とを有している。例えば、メンテナンスＩＤがＤ０２０１であるメンテナンス情報には、依頼者のユーザＩＤがＡ０００１であることと、対象用具の用具ＩＤがＢ０００１であることと、受付日時が２００５年４月１日１２：００であることと、内容が○○○であることとが登録されている。
【００４７】
図８は、配送先周辺情報テーブル３６５のデータ構成を示している。配送先周辺情報テーブル３６５のロウ（行）に示されている各々の配送先周辺情報は、配送先５と、配送先５、配送先５の周辺、又は配送先５及びその周辺に関するイベント情報やグルメ情報のような配送先周辺地域情報と、配送先周辺地域情報を読み出すか否かの判定に使用する送信期間とを有している。例えば、図８において配送先周辺情報テーブル３６５の一番上のロウ（行）に示されている配送先周辺情報には、配送先５がゴルフ場であることと、配送先周辺地域情報がゴルフ場周辺情報Ａであることと、送信期間が２００５年２月１日〜２００５年２月２８日であることとが登録されている。
【００４８】
図９は、用具別推奨商品情報テーブル３６６のデータ構成を示している。用具別推奨商品情報テーブル３６６のロウ（行）に示されている各々の用具別推奨商品情報は、保管センタ２に保管されているスポーツ用具１１のメーカ名及び型式と、そのスポーツ用具１１の所有者に推奨する商品の情報としての推奨商品情報とを有している。例えば、図９において用具別推奨商品情報テーブル３６６の一番上のロウ（行）に示されている用具別推奨商品情報には、メータ名及び型式がＧ社及びＧ００１であるスポーツ用具１１の所有者に推奨する商品の情報が○○○○であることが登録されている。
【００４９】
図１０は、競技別推奨商品情報テーブル３６７のデータ構成を示している。競技別推奨商品情報テーブル３６７のロウ（行）に示されている各々の競技別推奨商品情報は、スポーツの競技種別と、そのスポーツをする人に推奨する商品の情報としての推奨商品情報とを有している。例えば、図１０において競技別推奨商品情報テーブル３６７の一番上のロウ（行）に示されている競技別推奨商品情報は、ゴルフをする人に推奨する商品の情報が□□□□であることとが登録されている。
【００５０】
スポーツ用具の保管システム１を使用するスポーツ用具の保管方法について以下に説明する。
【００５１】
図１１及び図１２は、スポーツ用具の保管方法を説明するための第１及び第２のタイムシーケンス図である。このスポーツ用具の保管方法は、ユーザ情報及び用具情報の登録に関するステップＳ１１〜Ｓ１６と、スポーツ用具１１の配送に関するステップＳ２１〜Ｓ２９と、スポーツ用具１１のメンテナンスに関するステップＳ３１〜Ｓ３６と、商品の販売に関するステップＳ４１〜Ｓ４６とを有している。
【００５２】
はじめにステップＳ１１〜Ｓ１６について説明する。なお、スポーツ用具１１は予め保管センタ２に送られているものとする。
【００５３】
ステップＳ１１は、ユーザがユーザ端末１０を使用して保管センタ端末２０にアクセスするステップである。
【００５４】
ステップＳ１２は、ユーザ端末１０が保管センタ端末２０に対してユーザ情報及び用具情報の送信をするステップである。ここで、ユーザ情報は、ユーザの氏名、住所、電話番号、電子メールアドレスを含んでいる。用具情報は、競技種別、用具種別、メーカ名及び型式を含んでいる。
【００５５】
ステップＳ１３は、保管センタ端末２０がステップＳ１２において通信部２１が受信したユーザ情報及び用具情報の登録をするステップである。記憶部２６は、ユーザ端末１０から送信されたユーザ情報にユーザＩＤを付加してユーザ情報テーブル２６１に追加して記憶する。さらに、記憶部２６は、ユーザ端末１０から送信された用具情報に用具ＩＤ、用具の所有者を示すユーザＩＤ、及び登録日を付加して用具情報テーブル２６２に追加して記憶する。
【００５６】
ステップＳ１４は、保管センタ端末２０がユーザからの登録料の入金を検出するステップである。入金検出部２２は、ユーザからの登録料の入金を検出する。
【００５７】
ステップＳ１５は、保管センタ端末２０が販売センタ端末３０に対してユーザ情報及び用具情報を送信するステップである。ステップＳ１５においては、記憶部２６は、ステップＳ１３において記憶されたユーザ情報及び用具情報を読み出し、通信部２１は、読み出されたユーザ情報及び用具情報を販売センタ端末３０に対して送信する。
【００５８】
ステップＳ１６は、販売センタ端末３０が、ステップＳ１５において通信部３１が受信したユーザ情報及び用具情報の登録をするステップである。記憶部３６は、保管センタ端末２０から送信されたユーザ情報をユーザ情報テーブル３６１に追加して記憶する。さらに、記憶部３６は、保管センタ端末２０から送信された用具情報を用具情報テーブル３６２に追加して記憶する。
【００５９】
つぎにステップＳ２１〜Ｓ２９について説明する。
【００６０】
ステップＳ２１は、ユーザ端末１０がスポーツ用具１１を配送先５に配送することを指示する配送指示情報を保管センタ端末２０に対して送信するステップである。ここで、配送指示情報は、配送の依頼者としてのユーザのユーザＩＤと、配送品としてのスポーツ用具１１の用具ＩＤと、配送元と、配送先と、指定配達日とを含んでいる。
【００６１】
ステップＳ２２は、保管センタ端末２０が配送指示情報の登録をするステップである。ステップＳ２２においては、記憶部２６は、ステップＳ２１において通信部２１が受信した配送指示情報に配送ＩＤと受付日時とを付加した配送情報を配送情報テーブル２６３に追加して記憶する。
【００６２】
ステップＳ２３は、保管センタ端末２０が販売センタ端末３０に対して配送情報の送信をするステップである。ステップＳ２３においては、記憶部２６は、ステップＳ２２において記憶された配送情報を読み出し、通信部２１は、読み出された配送情報を販売センタ端末３０に対して送信する。
【００６３】
ステップＳ２４は、販売センタ端末３０が配送情報を登録し、周辺地域情報の生成をするステップである。ステップＳ２４においては、記憶部３６は、ステップＳ２３において通信部３１が受信した配送情報を配送情報テーブル３６３に追加して記憶し、この配送情報に含まれる配送先に関連付けられた配送先周辺地域情報を配送先周辺情報テーブル３６５から読み出す。例えば、図６に示す配送ＩＤがＣ０１０１の配送情報が送信された場合は、配送先周辺情報テーブル３６５からゴルフ場周辺情報Ａ及びゴルフ場周辺情報Ｂが読み出される。周辺地域情報生成部３３は、読み出された配送先周辺地域情報を含む周辺地域情報を生成する。
【００６４】
ステップＳ２５は、販売センタ端末３０が配送情報を登録し、販売促進情報の生成をするステップである。ステップＳ２５においては、記憶部３６は、ステップＳ２３において通信部３１が受信した配送情報を配送情報テーブル３６３に追加して登録し、用具情報テーブル３６２を参照してこの配送情報に含まれる配送品の用具ＩＤから配送品が使用されるスポーツの競技種別を検出し、競技別推奨商品情報テーブル３６７を参照してこの競技種別に関連する商品の情報としての推奨商品情報を読み出す。例えば、図６に示す配送ＩＤがＣ０１０１である配送情報が送信された場合は、用具情報テーブル３６２からゴルフが競技種別として検出され、競技別推奨商品情報テーブル３６７から□□□□が推奨商品情報として読み出される。販売促進情報生成部３４は、読み出された推奨商品情報を含む販売促進情報を生成する。
【００６５】
ステップＳ２６は、販売センタ端末３０がユーザ端末１０に対して周辺地域情報の送信をするステップである。記憶部３６は、ユーザ情報テーブル３６１を参照し、ステップＳ２３において送信された配送情報に含まれる依頼者のユーザＩＤに基づいて依頼者の電子メールアドレスを検出する。例えば、図６に示す配送ＩＤがＣ０１０１である配送情報が送信された場合は、電子メールアドレスとしてｔａｒｏｕ＠・・・が検出される。通信部３１は、ステップＳ２４において生成された周辺地域情報を依頼者の電子メールアドレス（ユーザ端末１０）に対して送信する。
【００６６】
これにより、配送先の周辺地域の情報がユーザに対して提供されるため、ユーザはこれから出かける地域の情報を受け取ることができる。ステップＳ２４においては、記憶部３６が配送情報に含まれる配送先に関連付けられた配送先周辺地域情報であって、配送情報に含まれる指定配達日がこの配送先周辺地域情報についての送信期間に含まれるものだけを配送先周辺情報テーブル３６５から読み出すこととしても良い。この場合、配送先周辺の旬の情報をユーザに対して提供することが可能となり、特にイベント情報の提供に好適である。この場合、ステップＳ２４においては、指定配達日である２００５年２月５日を含んでいる送信期間（２００５年２月１日から２００５年２月２８日まで）に関連付けられたゴルフ場周辺情報Ａが読み出され、ゴルフ場周辺情報Ｂは読み出されない。
【００６７】
ステップＳ２７は、販売センタ端末３０がユーザ端末１０に対して販売促進情報の送信をするステップである。記憶部３６は、ステップＳ２６と同様の手順で依頼者の電子メールアドレス（ユーザ端末１０）を検出する。通信部３１は、ステップＳ２５において生成された販売促進情報をユーザ端末１０に対して送信する。
【００６８】
ステップＳ２８は、保管センタ端末２０が配送に関する処理を実行するステップである。ステップＳ２８の詳細を図１３に示す。ステップＳ２８は、ステップＳ２８１と、ステップＳ２８２と、ステップＳ２８３と、ステップＳ２８４とを有している。
【００６９】
ステップＳ２８１は、入金検出部２２がユーザから配送費が入金されたことを検出するステップである。配送費の入金が検出された場合は、ステップＳ２８２に進む。
【００７０】
ステップＳ２８２は、配送伝票作成部２３が配送伝票の作成をするステップである。配送伝票作成部２３は、ステップＳ２１において通信部２１が受信した配送指示情報に含まれている情報に基づいて必要な情報を所定の用紙に印字して配送伝票を作成する。例えば、配送伝票作成部２３は、配送指示情報から依頼者を示すユーザＩＤ、配送品を示す用具ＩＤ、配送先、指定配達日を抽出し、ユーザ情報テーブル２６１を参照してユーザＩＤに基づいて依頼者の氏名、住所、電話番号を検出し、用具情報テーブル２６２を参照して用具ＩＤに基づいて配送品の用具種別を検出し、依頼者の氏名、住所、電話番号、配送先、配送先の住所、配送品の用具種別、指定配達日を所定の用紙に印字して配送伝票を作成する。ここで、配送先の住所は、配送指示情報に含まれていても良く、配送伝票作成部２３が配送先とその住所を関連付けた図示されないテーブルから検出することとしても良い。
【００７１】
保管センタ２で働く配送係は、配送伝票を使用して配送品であるスポーツ用具１１を配送先５に発送する。配送係は、配送会社を利用して配送品を発送することが出来る。
【００７２】
ステップＳ２８３は、配達検出部２４が配達の検出をするステップである。配達検出部２４は、配送品であるスポーツ用具１１が配送先５に配達されたことを示す信号を配送会社のサーバから受信することにより、配達を検出する。配達が検出されるとステップＳ２８４に進む。
【００７３】
ステップＳ２８４は、配送結果情報生成部２５が配送品であるスポーツ用具１１が配送先５に配達されたことを示す配送結果情報を生成するステップである。
【００７４】
ステップＳ２９は、通信部２１が配送結果情報をユーザ端末１０に対して送信するステップである。
【００７５】
次にステップＳ３１〜Ｓ３６について説明する。なお、スポーツ用具１１はステップＳ３１の前に保管センタ２に戻っているものとする。
【００７６】
ステップＳ３１は、ユーザ端末１０がスポーツ用具１１のメンテナンスを指示するメンテナンス指示情報を保管センタ端末２０に対して送信するステップである。ここで、メンテナンス指示情報は、メンテナンスの依頼者としてのユーザのユーザＩＤと、メンテナンスの対象用具としてのスポーツ用具１１の用具ＩＤと、メンテナンスの内容とを含んでいる。
【００７７】
ステップＳ３２は、保管センタ端末２０がメンテナンス指示情報により指示されたメンテナンスに関する処理を実行するステップである。ステップＳ３２の詳細を図１４に示す。ステップＳ３２は、ステップＳ３２１と、ステップＳ３２２と、ステップＳ３２３と、ステップＳ３２４と、ステップＳ３２５とを有している。
【００７８】
ステップＳ３２１は、保管センタ端末２０がメンテナンス情報の登録をするステップである。ステップＳ３２１においては、記憶部２６は、ステップＳ３１において通信部２１が受信したメンテナンス指示情報にメンテナンスＩＤと受付日時とを付加したメンテナンス情報をメンテナンス情報テーブル２６４に追加して記憶する。
【００７９】
ステップＳ３２２は、入金検出部２２がユーザからメンテナンス費が入金されたことを検出するステップである。メンテナンス費の入金が検出された場合は、ステップＳ３２３に進む。
【００８０】
ステップＳ３２３は、メンテナンス指示出力部２７がメンテナンスの指示の出力をするステップである。ステップＳ３２３においては、記憶部２６は、ステップＳ３２１において記憶されたメンテナンス情報を読み出す。メンテナンス指示出力部２７は、読み出されたメンテナンス情報に基づいてメンテナンスの指示を表示や印刷等により出力する。例えば、ステップＳ３２１においてメンテナンスＩＤがＤ０２０１のメンテナンス情報が記憶された場合は、用具ＩＤがＢ０００１のスポーツ用具１１に○○○の内容のメンテナンスをすることの指示を表示又は印刷する。
【００８１】
保管センタ２で働くメンテナンス係は、メンテナンス指示出力部２７が出力したメンテナンスの指示にしたがってスポーツ用具１１のメンテナンスをおこなう。
【００８２】
ステップＳ３２４は、メンテナンス終了検出部２８がメンテナンスの終了を検出するステップである。ステップＳ３２４においては、メンテナンス終了検出部２８は、メンテナンス係がメンテナンス終了検出部２８に対してメンテナンスの終了を入力したことに基づいてメンテナンスの終了を検出する。メンテナンスの終了が検出された場合は、ステップＳ３２５に進む。
【００８３】
ステップＳ３２５は、メンテナンス結果情報生成部２９がメンテナンス結果情報の生成をするステップである。メンテナンス結果情報生成部２９は、メンテナンスが終了したことを示すメンテナンス結果情報を生成する。
【００８４】
ステップＳ３３は、通信部２１がメンテナンス結果情報をユーザ端末１０に対して送信するステップである。
【００８５】
ステップＳ３４は、保管センタ端末２０が販売センタ端末３０に対してメンテナンス情報の送信をするステップである。ステップＳ３４においては、記憶部２６は、ステップＳ３２１において登録されたメンテナンス情報を読み出し、通信部２１は、読み出されたメンテナンス情報を販売センタ端末３０に対して送信する。
【００８６】
ステップＳ３５は、販売センタ端末３０がメンテナンス情報を登録し、販売促進情報の生成をするステップである。ステップＳ３５においては、記憶部３６は、保管センタ端末２０から通信部３１が受信したメンテナンス情報をメンテナンス情報テーブル３６４に追加して記憶し、用具情報テーブル３６２を参照してメンテナンス情報に含まれる対象用具の用具ＩＤから対象用具のメーカ名及び型式を検出し、そのメーカ名及び型式に関連付けられた商品の情報としての推奨商品情報を用具別推奨商品情報テーブル３６６から読み出す。例えば、ステップＳ３４において図７に示すメンテナンスＩＤがＤ０２０１のメンテナンス情報が送信された場合、用具情報テーブル３６２からメーカ名及び型式としてＧ社及びＧ００１が検出され、用具別推奨商品情報テーブル３６６から推奨商品情報として○○○○が検出される。そして、販売促進情報生成部３４は、読み出された推奨商品情報を含む販売促進情報を生成する。
【００８７】
ステップＳ３６は、販売センタ端末３０がユーザ端末１０に対して販売促進情報の送信をするステップである。記憶部３６は、ステップＳ２６の例のように、ユーザ情報テーブル３６１を参照し、メンテナンス情報に含まれる依頼者のユーザＩＤに基づいて依頼者の電子メールアドレスを検出する。通信部３１は、ステップＳ３５において生成された販売促進情報を依頼者の電子メールアドレス（ユーザ端末１０）に対して送信する。
【００８８】
なお、ステップＳ３６においては、記憶部３６がメンテナンス情報テーブル３６４を参照してステップＳ３４において送信されたメンテナンス情報に含まれる対象用具の総メンテナンス回数をこの対象用具を含むメンテナンス情報を計数することで検出し、総メンテナンス回数が所定の回数を超える場合に通信部３１が販売促進情報を依頼者の電子メールアドレス（ユーザ端末１０）に対して送信しても良い。また、ステップＳ３６においては、記憶部３６がメンテナンス情報テーブル３６４を参照してステップＳ３４において送信されたメンテナンス情報に含まれる対象用具に対してこのメンテナンス情報に含まれる内容のメンテナンスが実行された回数をこの対象用具及び内容を含むメンテナンス情報を計数することで検出し、この対象用具に対するこの内容のメンテナンスの回数が所定の回数を超える場合に通信部３１が販売促進情報を依頼者の電子メールアドレス（ユーザ端末１０）に対して送信しても良い。このようにすることで、用具の痛みが進んだころに商品の情報がユーザに届けられる。
【００８９】
メンテナンスの回数だけでなく内容を考慮することにより、スポーツ用具１１の痛みの進み具合がより正確に把握される。
【００９０】
次にステップＳ４１〜Ｓ４６について説明する。
【００９１】
ステップＳ４１は、ステップＳ２７又はステップＳ３６で送信された販売促進情報に接して商品の購入意欲を持ったユーザがユーザ端末１０を使用して販売センタ端末３０にアクセスするステップである。
【００９２】
ステップＳ４２は、商品販売情報生成部３５が仮想店舗上で販売促進情報に係る商品を販売するための商品販売情報を生成するステップである。
【００９３】
ステップＳ４３は、通信部３１が商品販売情報をユーザ端末１０に対して送信するステップである。
【００９４】
ステップＳ４４は、商品販売情報に接して商品の購入を決めたユーザの操作により、ユーザ端末１０が商品を購入するための注文情報を送信するステップである。
【００９５】
ステップＳ４５は、販売センタ端末３０が注文情報に基づいて商品の販売に関する処理を実行するステップである。ステップＳ４５においては、入金検出部３２がユーザからの入金を検出したのち、注文結果情報生成部３７が注文の受付又は売買の成立を示す注文結果情報を注文情報に基づいて生成する。
【００９６】
ステップＳ４６は、通信部３１がユーザ端末１０に対して注文結果情報の送信をするステップである。
【００９７】
本発明の実施形態によれば、ユーザは、スポーツ用具を自宅に保管する必要がなく、スポーツ用具のメンテナンスを自身でする必要がなく、スポーツ用具をその使用場所まで自身で搬送する必要がない。また、保管センタが配送会社と大量配送を前提とした契約を結べば、ユーザ個人が配送会社に配送を依頼する場合に比べて費用が安くなる。
【００９８】
さらに、販売センタ端末３０がユーザ情報、用具情報、配送情報、メンテナンス情報に基づいて販売促進情報や周辺地域情報をユーザに対して送信するため、厳選された情報が適切なタイミングでユーザに提供される。販売促進情報や周辺地域情報をユーザに提供することにより、商品の販売促進や周辺地域に存在する施設等からの広告料収入等が見込まれる。
【００９９】
本発明の実施形態によれば、スポーツ用具の販売、保管、メンテナンス、配送において顧客を囲い込むことが可能となる。
【図面の簡単な説明】
【０１００】
【図１】図１は、本発明の実施形態に係るスポーツ用具の保管システムについて示す図である。
【図２】図２は、保管センタ端末の機能ブロック図である。
【図３】図３は、販売センタ端末の機能ブロック図である。
【図４】図４は、ユーザ情報テーブルのデータ構成を示す図である。
【図５】図５は、用具情報テーブルのデータ構成を示す図である。
【図６】図６は、配送情報テーブルのデータ構成を示す図である。
【図７】図７は、メンテナンス情報テーブルのデータ構成を示す図である。
【図８】図８は、配送先周辺情報テーブルのデータ構成を示す図である。
【図９】図９は、用具別推奨商品情報テーブルのデータ構成を示す図である。
【図１０】図１０は、競技別商品情報テーブルのデータ構成を示す図である。
【図１１】図１１は、スポーツ用具の保管方法を説明するための第１のタイムシーケンス図である。
【図１２】図１２は、スポーツ用具の保管方法を説明するための第２のタイムシーケンス図である。
【図１３】図１３は、配送に関する処理を実行するステップを説明するためのフローチャートである。
【図１４】図１４は、メンテナンスに関する処理を実行するステップを説明するためのフローチャートである。
【符号の説明】
【０１０１】
１…スポーツ用具の保管システム
２…保管センタ
５…配送先
１０…ユーザ端末
１１…スポーツ用具
２０…保管センタ端末
２１…通信部
２２…入金検出部
２３…配送伝票作成部
２４…配達検出部
２５…配送結果情報生成部
２６…記憶部
２６０…データベース
２６１…ユーザ情報テーブル
２６２…用具情報テーブル
２６３…配送情報テーブル
２６４…メンテナンス情報テーブル
２７…メンテナンス指示出力部
２８…メンテナンス終了検出部
２９…メンテナンス結果情報生成部
３０…販売センタ端末
３１…通信部
３２…入金検出部
３３…周辺地域情報生成部
３４…販売促進情報生成部
３５…商品販売情報生成部
３６…記憶部
３７…注文結果情報生成部
３６０…データベース
３６１…ユーザ情報テーブル
３６２…用具情報テーブル
３６３…配送情報テーブル
３６４…メンテナンス情報テーブル
３６５…配送先周辺情報テーブル
３６６…用具別推奨商品情報テーブル
３６７…競技別推奨商品情報テーブル
３７…注文結果情報生成部
１００…ネットワーク
【図１】
2007261765.tif 000003
【図２】
2007261765.tif 000004
【図３】
2007261765.tif 000005
【図４】
2007261765.tif 000006
【図５】
2007261765.tif 000007
【図６】
2007261765.tif 000008
【図７】
2007261765.tif 000009
【図８】
2007261765.tif 000010
【図９】
2007261765.tif 000011
【図１０】
2007261765.tif 000012
【図１１】
2007261765.tif 000013
【図１２】
2007261765.tif 000014
【図１３】
2007261765.tif 000015
【図１４】
2007261765.tif 000016